(57)【要約】【課題】  サーバ機器とクライアント機器が無線伝送路を介して通信可能なホームネットワークシステムにおいて、同一の認証ＩＤを有する機器同士で通信可能とし、上記認証ＩＤは簡単な入力操作により設定可能とすることで、セキュリティを向上したホームネットワークシステムを提供する。【解決手段】  無線伝送路を介して通信可能なサーバ機器とクライアント機器を備え、それぞれの認証ＩＤが一致した場合に接続を確立するように構成されたホームネットワークシステムにおいて、サーバ機器及びクライアント機器と赤外線通信可能なリモコン装置を用いて、所定の入力操作に基づいてサーバ機器又はクライアント機器に認証ＩＤを付与するようにした。【選択図】  図１
2006268618.tif 000002
【特許請求の範囲】
【請求項１】
伝送路を介して通信可能なサーバ機器と１又は２以上のクライアント機器を備え、
上記サーバ機器及びクライアント機器は、それぞれ認証ＩＤ付与手段から付与された認証ＩＤを格納する認証ＩＤ記憶手段を備えた認証ＩＤ管理手段を有し、
該認証ＩＤ管理手段により互いの認証ＩＤが一致した場合に接続を確立するように構成されたホームネットワークシステムにおいて、
上記認証ＩＤ付与手段は、上記サーバ機器及びクライアント機器と赤外線通信可能なリモコン装置で構成され、所定の入力操作に基づいて上記サーバ機器又はクライアント機器に同一の認証ＩＤを付与し、
上記サーバ機器は、上記認証ＩＤ付与手段により認証ＩＤを付与されることに伴い、付与された認証ＩＤをサーバ側認証ＩＤ記憶手段に記憶し、該認証ＩＤと同じ認証ＩＤを有するクライアント機器を検索し、該当するクライアント機器に接続情報及びセキュリティ情報を送信し、
上記クライアント機器は、上記認証ＩＤ付与手段により認証ＩＤを付与されることに伴い、付与された認証ＩＤをクライアント側認証ＩＤ記憶手段に記憶し、該認証ＩＤと同じ認証ＩＤを有するサーバ機器を検索し、該当するサーバ機器から接続情報及びセキュリティ情報を受信し設定することを特徴とするホームネットワークシステム。
【請求項２】
伝送路を介して通信可能なサーバ機器と１又は２以上のクライアント機器を備え、
上記サーバ機器及びクライアント機器は、それぞれ認証ＩＤ付与手段から付与された認証ＩＤを格納する認証ＩＤ記憶手段を備えた認証ＩＤ管理手段を有し、
該認証ＩＤ管理手段により互いの認証ＩＤが一致した場合に接続を確立するように構成されたホームネットワークシステムにおいて、
上記認証ＩＤ付与手段は、上記サーバ機器及びクライアント機器と無線通信可能なリモコン装置で構成され、所定の入力操作に基づいて上記サーバ機器又はクライアント機器に同一の認証ＩＤを付与することを特徴とするホームネットワークシステム。
【請求項３】
上記リモコン装置と上記サーバ機器及びクライアント機器とは、赤外線を利用して通信することを特徴とする請求項２に記載のホームネットワークシステム。
【請求項４】
上記サーバ機器は、上記認証ＩＤ付与手段により認証ＩＤを付与されることに伴い、付与された認証ＩＤをサーバ側認証ＩＤ記憶手段に記憶し、該認証ＩＤと同じ認証ＩＤを有するクライアント機器を検索し、該当するクライアント機器に接続情報及びセキュリティ情報を送信することを特徴とする請求項２又は３に記載のホームネットワークシステム。
【請求項５】
上記クライアント機器は、上記認証ＩＤ付与手段により認証ＩＤを付与されることに伴い、付与された認証ＩＤをクライアント側認証ＩＤ記憶手段に記憶し、該認証ＩＤと同じ認証ＩＤを有するサーバ機器を検索し、該当するサーバ機器から接続情報及びセキュリティ情報を受信し設定することを特徴とする請求項２から４の何れかに記載のホームネットワークシステム。
【請求項６】
１又は２以上のクライアント機器と無線通信する通信手段と、
認証ＩＤを格納する認証ＩＤ記憶手段を備えた認証ＩＤ管理手段と、を有し、
上記認証ＩＤ管理手段によりクライアント機器との認証ＩＤが一致した場合に接続を確立するサーバ機器において、
上記認証ＩＤ管理手段は、認証ＩＤ付与手段としてのリモコン装置から付与された認証ＩＤを上記認証ＩＤ記憶手段に記憶することことを特徴とするサーバ機器。
【請求項７】
サーバ機器と無線通信する通信手段と、
認証ＩＤを格納する認証ＩＤ記憶手段を備えた認証ＩＤ管理手段と、を有し、
上記認証ＩＤ管理手段によりサーバ機器との認証ＩＤが一致した場合に接続を確立するクライアント機器において、
上記認証ＩＤ管理手段は、認証ＩＤ付与手段としてのリモコン装置から付与された認証ＩＤを上記認証ＩＤ記憶手段に記憶することを特徴とするクライアント機器。
【発明の詳細な説明】
【技術分野】
【０００１】
本発明は、無線伝送路を介してディジタル映像データ等を伝送可能なホームネットワークシステムに関し、特に、ネットワークに接続されたサーバ機器及びクライアント機器を容易にグループ化しセキュリティ設定する技術に関する。
【背景技術】
【０００２】
近年、ＰＶＲ（Personal Video Recorder）機能を搭載したＤＶＤ／ＨＤＤレコーダやパソコンの普及が目覚ましく、それに伴い個人が家庭で視聴しうるビデオ資産も増えてきてきる。そして、ＤＶＤ／ＨＤＤレコーダやパソコンなどに蓄積された映像情報等のコンテンツを、見たいときに、見たい場所で楽しむということが求められており、ホームネットワークを利用して液晶テレビ等のクライアント機器に出力可能とする技術が提案されている。映像データや音声データなどの大量のデータを高速かつリアルタイムに伝送する技術として、例えば、ディジタルテレビ、ディジタルビデオなどの接続用インタフェースにＩＥＥＥ１３９４が採用されている。
【０００３】
また、最近では機器間の接続を簡単にするために、無線ＬＡＮを利用してＤＶＤ／ＨＤＤレコーダやパソコン、液晶モニタなどを接続できるようになっている。この無線ＬＡＮの代表的な技術としては、ＩＥＥＥにおいて標準化されているＩＥＥＥ８０２．１１があり、２．４ＧＨｚ帯を使用するものが主流となっている。２．４ＧＨｚ帯はＩＳＭ（Industrial, Scientific and Medical）バンドとよばれ、産業用や医療用、家庭用の電子レンジなどに使われる周波数帯であり、日本では２．４００〜２．４９７ＧＨｚが無線ＬＡＮに割り当てられている。
【０００４】
しかしながら、ホームネットワークシステムにおいて、無線伝送路を利用して通信を行う場合は、例えば、外部の通信機器からアクセスされホームネットワーク内の機器を制御されうる等、セキュリティの問題点がある。このために、ホームネットワーク内の機器間で接続する際に認証作業を行うことが重要であり、１つの認証作業として、接続する機器間で互いの認証ＩＤを交換し、認証ＩＤが一致した場合のみ通信を開始する認証作業を用いる方法がある。
【０００５】
例えば、特許文献１には、ホームサーバと電化製品（白物家電）が電灯線で接続されたホームネットワークシステムが開示されており、１つのリモコン装置によりホームネットワーク内の電化製品を制御可能とするため、ユーザがリモコン装置の認証ＩＤをホームサーバに設定するだけで、ホームサーバは設定されたリモコンの認証ＩＤを自動的に各電化製品に送信するようにしている。これにより、リモコン装置の認証ＩＤを電化製品毎に設定する必要はなくなるので、ユーザの負担が軽減される。
【０００６】
また、ホームネットワークシステムの一例として、特許文献２には、遠隔操作する側の端末や遠隔操作される側の端末だけを入れ替えることができるとともに、複数の異なるメーカの機器を同一端末から遠隔操作することができる遠隔操作システムが開示されている。
【特許文献１】特開２００３−３０９８８２
【特許文献２】特開２００３−９２６５
【発明の開示】
【発明が解決しようとする課題】
【０００７】
ところで、上記特許文献１に記載の技術では、サーバ機器（ホームサーバ）とクライアント機器（電化製品）は有線で接続されてグループ化されているため、サーバ機器とクライアント機器との間のセキュリティは無線伝送路を介して通信する場合に比較して高く、サーバ機器及びクライアント機器とリモコン装置との間で認証を行うことでセキュリティを向上できる。
【０００８】
これに対して、サーバ機器とクライアント機器との間を無線伝送路を介して通信する場合は、サーバ機器とクライアント機器との間でも認証が必要となる。仮に、サーバ機器とクライアント機器との間で認証を行わなければ、外部の無線通信機器にも誤ってデータを送信したり、逆に外部の無線通信機器からホームネットワーク内の電化製品を制御されたりする虞があり、セキュリティが低下してしまう。例えば、近くにあるサーバ機器とクライアント機器を自動認識させるシステムにしてしまうと、壁を隔てた他人の使用する同様のシステムを認識してしまうことが考えられる。
【０００９】
そこで、本発明は、サーバ機器とクライアント機器が無線伝送路を介して通信可能なホームネットワークシステムにおいて、同一の認証ＩＤを有する機器同士で通信可能とし、上記認証ＩＤは簡単な入力操作により設定可能とすることで、セキュリティを向上したホームネットワークシステムを提供することを目的とする。
【課題を解決するための手段】
【００１０】
本発明は、上記課題を解決するためになされたものであり、伝送路を介して通信可能なサーバ機器と１又は２以上のクライアント機器を備え、上記サーバ機器及びクライアント機器は、それぞれ認証ＩＤ付与手段から付与された認証ＩＤを格納する認証ＩＤ記憶手段を備えた認証ＩＤ管理手段を有し、該認証ＩＤ管理手段により互いの認証ＩＤが一致した場合に接続を確立するように構成されたホームネットワークシステムにおいて、上記認証ＩＤ付与手段は、上記サーバ機器及びクライアント機器と無線通信可能なリモコン装置で構成され、所定の入力操作に基づいて上記サーバ機器又はクライアント機器に同一の認証ＩＤを付与することを特徴とする。特に、無線伝送路を介して構築されるホームネットワークシステムにおいて有効である。
【００１１】
ここで、上記リモコン装置と上記サーバ機器及びクライアント機器とは赤外線を利用して通信するようにし、赤外線を受光可能なクライアント機器でしか認証ＩＤを受信できなくするのが望ましい。
【００１２】
また、上記サーバ機器は、上記認証ＩＤ付与手段により認証ＩＤを付与されることに伴い、付与された認証ＩＤをサーバ側認証ＩＤ記憶手段に記憶し、該認証ＩＤと同じ認証ＩＤを有するクライアント機器を検索し、該当するクライアント機器に接続情報及びセキュリティ情報を送信するようにした。
【００１３】
一方、上記クライアント機器は、上記認証ＩＤ付与手段により認証ＩＤを付与されることに伴い、付与された認証ＩＤをクライアント側認証ＩＤ記憶手段に記憶し、該認証ＩＤと同じ認証ＩＤを有するサーバ機器を検索し、該当するサーバ機器から接続情報及びセキュリティ情報を受信し設定するようにした。
【発明の効果】
【００１４】
本発明によれば、無線伝送路を介して通信可能なサーバ機器と１又は２以上のクライアント機器を備え、サーバ機器及びクライアント機器は、それぞれ認証ＩＤ付与手段から付与された認証ＩＤを格納する認証ＩＤ記憶手段を備えた認証ＩＤ管理手段を有し、該認証ＩＤ管理手段により互いの認証ＩＤが一致した場合に接続を確立するように構成されたホームネットワークシステムにおいて、サーバ機器及びクライアント機器と無線通信可能なリモコン装置で認証ＩＤ付与手段を構成し、所定の入力操作に基づいてサーバ機器又はクライアント機器に認証ＩＤを付与するようにしたので、簡単な入力操作でホームネットワークを構成するサーバ機器及びクライアント機器をグループ化することができ、セキュリティを向上することができる。
【００１５】
また、リモコン装置とサーバ機器及びクライアント機器とは赤外線を利用して通信するようにしたので、リモコン装置から誤って外部のグループ化したくない無線通信機器に認証ＩＤが付与されるのを回避することができる。
【００１６】
また、サーバ機器は、認証ＩＤ付与手段により認証ＩＤを付与されることに伴い、付与された認証ＩＤをサーバ側認証ＩＤ記憶手段に記憶し、該認証ＩＤと同じ認証ＩＤを有するクライアント機器を検索し、該当するクライアント機器に接続情報及びセキュリティ情報を送信するようにし、一方、クライアント機器は、認証ＩＤ付与手段により認証ＩＤを付与されることに伴い、付与された認証ＩＤをクライアント側認証ＩＤ記憶手段に記憶し、該認証ＩＤと同じ認証ＩＤを有するサーバ機器を検索し、該当するサーバ機器から接続情報及びセキュリティ情報を受信し設定するようにしたので、グループ化されたサーバ機器及びクライアント機器は自動的に接続可能となり、ユーザの負担が軽減される。
【発明を実施するための最良の形態】
【００１７】
以下、本発明の好適な実施の形態を図面に基づいて説明する。
【００１８】
図１は、本実施形態のホームネットワークシステムの概略構成図である。
【００１９】
本実施形態に係るホームネットワークシステム１００は、映像データ及び音声データを含むコンテンツ（アナログデータ又はディジタルデータ）を提供するコンテンツ提供装置１０と、サーバ機器２０と、クライアント機器３０と、液晶モニタやスピーカ等の出力装置４０と、で構成される。いわゆる、ＡＶ系のホームネットワークシステムである。ここで、コンテンツ提供装置１０は、例えば、ＤＶＤ／ＨＤＤレコーダ、ビデオテープレコーダ、アナログテレビジョン放送やディジタルテレビジョン放送の受信機等に相当する。
【００２０】
本実施形態のホームネットワークシステム１００では、例えば、コンテンツ提供装置１０と送信装置２０、及び受信装置３０と出力装置４０はＩＥＥＥ１３９４準拠のケーブル等で接続され、送信装置２０と受信装置３０間はＩＥＥＥ８０２．１１ｇに基づく無線ＬＡＮを利用してデータ伝送を行う。また、リモコン装置５０により、サーバ機器２０及びクライアント機器３０を制御可能に構成される。
【００２１】
コンテンツ提供装置１０はＡＶデータ生成部（図示しない）を有し、ＤＶＤ、ビデオカセットテープ、ハードディスク等の記録媒体からコンテンツ（映像データ、音声データ）を読出し、またはディジタルテレビジョン放送やアナログテレビジョン放送を受信し、そのコンテンツやテレビジョン放送を所定のフォーマットに変換してＡＶデータとして出力する。なお、コンテンツ提供装置１０から出力されるＡＶデータは、メディアの種類とコンテンツ提供装置１０の機能によって、アナログデータ又はディジタルデータとなる。
【００２２】
図２は、サーバ機器２０の概略構成図である。図２に示すように、サーバ機器２０は、Ａ／Ｄ変換部２１と、ＭＰＥＧエンコーダ２２と、送信側バッファ２３と、無線ＬＡＮ通信部２４と、高周波増幅部２５と、アンテナ２６ｂと、サーバ制御部２７と、リモコン受信部２８と、認証ＩＤ記憶部２９と、を有し、コンテンツ提供装置１０から供給されたＡＶデータを例えばＭＰＥＧ２準拠のディジタルデータ形式で受信装置３０に送信する。
【００２３】
Ａ／Ｄ変換部２１は、コンテンツ提供装置１０から送信されたアナログのＡＶデータをディジタルデータに変換する。ＭＰＥＧエンコーダ２２は、Ａ／Ｄ変換部２１から供給されたディジタルＡＶデータをＭＰＥＧ２方式に従い圧縮符号化する。
【００２４】
なお、コンテンツ提供装置１０から供給されるＡＶデータが、既にディジタルＡＶデータである場合は、Ａ／Ｄ変換部２１及びＭＰＥＧエンコーダ２２は使用されない。
【００２５】
送信側バッファ２３は、供給されたディジタルＡＶデータを格納する。無線ＬＡＮ通信部２４は、送信側バッファ２３から出力されたディジタルＡＶデータに対して、プロトコル処理及び変復調処理を行う。高周波増幅部２５は、ＲＦ信号を高周波増幅しアンテナ２６を介してクライアント機器３０に送信する。例えば、中心周波数が２．４１２ＧＨｚの周波数帯域の通信チャンネルを介してＲＦ信号を送信する。
【００２６】
リモコン受信部２８は、リモコン装置５０からの赤外線信号を受信する。例えば、リモコン装置５０から認証ＩＤ（例えば、機器制御に関するリモコンコードとは異なる任意のＩＤコード）を受信し、これをサーバ制御部２７に供給する。
【００２７】
サーバ制御部２７は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って動作する。例えば、リモコン受信部２８から認証ＩＤを供給されたときに、認証ＩＤ記憶部２９に当該認証ＩＤを登録するとともに、クライアント機器３０との認証ＩＤが一致した場合に接続を確立する（認証ＩＤ管理手段）。また、同じ認証ＩＤを有する同一グループのクライアント機器を検索し、接続情報やセキュリティ情報を自動的に送信する。
【００２８】
ここで、リモコン装置５０からの認証ＩＤの設定は、例えば、リモコン装置５０のボタンを１つ押す方法であってもよいし、複数のボタンを押すことで実現してもよい。また、認証ＩＤ記憶部２９に登録された認証ＩＤは、サーバ機器２０のシステムリセットなど特別な操作をしない限り消去されないようにする。これにより、ユーザは例えばサーバ機器２０を購入後に一度だけ認証ＩＤの登録作業を行うだけでよい。
【００２９】
図３は、クライアント機器３０の概略構成図である。図３に示すように、クライアント機器３０は、アンテナ３１と、高周波増幅部（ＲＦ）３２と、無線ＬＡＮ通信部３３と、受信側バッファ３４と、ＭＰＥＧデコーダ３５と、Ｄ／Ａ変換部３６と、クライアント制御部３７と、リモコン受信部３８と、認証ＩＤ記憶部３９と、を有し、サーバ機器２０から送信されたディジタルＡＶデータを受信し、出力装置４０に出力する。
【００３０】
アンテナ３１は、サーバ機器２０から通信チャンネルを介して送信されたＲＦ信号を受信して、受信したＲＦ信号を高周波増幅部３２に供給する。高周波増幅部３２は、アンテナ３１により受信されたＲＦ信号を高周波増幅し、無線ＬＡＮ通信部３３に供給する。無線ＬＡＮ通信部３３は、高周波増幅部３２から供給されたディジタルＡＶデータに対してプロトコル処理及び変復調処理を行う。受信側バッファ３４は、無線ＬＡＮ通信部３３から供給されたディジタル映像データを順次格納する。
【００３１】
ＭＰＥＧデコーダ３５は、受信側バッファ３４から供給されたディジタルＡＶデータを伸張復号化し、ディジタルＡＶデータを生成する。Ｄ／Ａ変換部３６は、ＭＰＥＧデコーダ３５から供給されたディジタルＡＶデータをアナログＡＶデータに変換し、出力装置４０に出力する。なお、出力装置４０が、ディジタルＡＶデータを再生可能な場合は、ＭＰＥＧデコーダ３５及びＤ／Ａ変換部３６は使用されない。
【００３２】
リモコン受信部３８は、リモコン装置５０からの赤外線信号を受信する。例えば、リモコン装置５０から認証ＩＤ（例えば、機器制御に関するリモコンコードとは異なる任意のＩＤコード）を受信し、これをクライアント制御部３７に供給する。
【００３３】
クライアント制御部３７は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って動作する。例えば、リモコン受信部３８から認証ＩＤを供給されたときに、認証ＩＤ記憶部３９に当該認証ＩＤを登録するとともに、サーバ機器２０との認証ＩＤが一致した場合に接続を確立する（認証ＩＤ管理手段）。また、同じ認証ＩＤを有する同一グループのサーバ機器を検索し、サーバ機器２０に接続情報やセキュリティ情報を要求し、サーバ機器２０から送信された接続情報やセキュリティ情報を受信して設定する。
【００３４】
ここで、リモコン装置５０からの認証ＩＤの設定は、例えば、リモコン装置５０のボタンを１つ押す方法であってもよいし、複数のボタンを押すことで実現してもよい。また、認証ＩＤ記憶部３９に登録された認証ＩＤは、クライアント機器３０のシステムリセットなど特別な操作をしない限り消去されないようにする。これにより、ユーザは例えばクライアント機器３０を購入後に一度だけ認証ＩＤの登録作業を行うだけでよい。
【００３５】
上述したように、本実施形態のホームネットワークシステム１００では、リモコン装置５０からの簡単な入力操作でホームネットワークを構成するサーバ機器２０及びクライアント機器３０をグループ化することができ、同じ認証ＩＤを設定されていない外部の通信機器をネットワークから排除することができるので、セキュリティが格段に向上する。
【００３６】
また、リモコン装置５０とサーバ機器２０及びクライアント機器３０とは赤外線を利用して通信するようにしたので、リモコン装置から誤って外部のグループ化したくない無線通信機器に認証ＩＤが付与されるのを回避することができる。
【００３７】
なお、リモコン装置５０は、例えば、サーバ機器２０と１対１で設けられ、サーバ機器２０に付属して流通・販売されるのが望ましい。このとき、サーバ機器２０には、予めリモコン装置５０により付与される認証ＩＤを登録しておいてもよい。このような形態とすることで、クライアント機器３０が新たに追加された場合でも、サーバ機器２０に付属のリモコン装置５０により、追加されたクライアント機器３０に対して認証ＩＤを付与するだけで、当該クライアント機器３０を容易にグループに追加することができる。
【００３８】
図４は、サーバ機器２０におけるネットワーク接続処理を示すフローチャートである。このネットワーク接続処理では、サーバ機器２０のサーバ制御部２７により制御プログラムが実行され、これに従って各回路が制御される。
【００３９】
まず、ステップＳ１０１でサーバ機器２０の電源が投入されると、ステップＳ１０２でリモコン装置５０から認証ＩＤが付与され、認証ＩＤ記憶部２９に登録されているか判定する。ステップＳ１０２でリモコン装置５０からの認証ＩＤが登録されていると判定した場合は、認証ＩＤが同じクライアント機器を検索する（ステップＳ１０９）。そして、同じ認証ＩＤを有するクライアント機器を検出した場合は、当該クライアント機器との通信を開始する（ステップＳ１０８）。
【００４０】
一方、ステップＳ１０２でリモコン装置５０から認証ＩＤが付与されていないと判定した場合（例えば、サーバ機器を購入した直後等）は、リモコン装置５０から認証ＩＤが付与されまで待機する（ステップＳ１０３）。そして、リモコン装置５０から送信された認証ＩＤを受信した場合は、当該認証ＩＤを認証ＩＤ記憶部２９に登録する（ステップＳ１０４）。
【００４１】
次いで、認証ＩＤが同じクライアント機器を検索する（ステップＳ１０５）。そして、同じ認証ＩＤを有するクライアント機器を検出した場合は、当該クライアント機器に接続情報を送信するとともに（ステップＳ１０６）、暗号化キー等のセキュリティ情報を送信する（ステップＳ１０７）。その後、当該クライアント機器との通信を開始する（ステップＳ１０８）。
【００４２】
図５は、クライアント機器３０におけるネットワーク接続処理を示すフローチャートである。このネットワーク接続処理では、クライアント機器３０のクライアント制御部３７により制御プログラムが実行され、これに従って各回路が制御される。
【００４３】
まず、ステップＳ２０１でクライアント機器３０の電源が投入されると、ステップＳ２０２でリモコン装置５０から認証ＩＤが付与され、認証ＩＤ記憶部３９に登録されているか判定する。ステップＳ２０２でリモコン装置５０からの認証ＩＤが登録されていると判定した場合は、認証ＩＤが同じサーバ機器を検索する（ステップＳ２０９）。そして、同じ認証ＩＤを有するサーバ機器を検出した場合は、当該サーバ機器との通信を開始する（ステップＳ２０８）。
【００４４】
一方、ステップＳ２０２でリモコン装置５０から認証ＩＤが付与されていないと判定した場合（例えば、クライアント機器を購入した直後等）は、リモコン装置５０から認証ＩＤが付与されまで待機する（ステップＳ２０３）。そして、リモコン装置５０から送信された認証ＩＤを受信した場合は、当該認証ＩＤを認証ＩＤ記憶部３９に登録する（ステップＳ２０４）。
【００４５】
次いで、認証ＩＤが同じサーバ機器を検索する（ステップＳ２０５）。そして、同じ認証ＩＤを有するサーバ機器を検出した場合は、当該サーバ機器に接続情報及びセキュリティ情報を送信するように要求し、該要求に対して送信された接続情報及びセキュリティ情報を設定する（ステップＳ２０６，Ｓ２０７）。その後、当該サーバ機器との通信を開始する（ステップＳ２０８）。
【００４６】
このように、サーバ機器２０は、リモコン装置５０により認証ＩＤを付与されることに伴い、付与された認証ＩＤを認証ＩＤ記憶部２９に記憶し、該認証ＩＤと同じ認証ＩＤを有するクライアント機器を検索し、該当するクライアント機器に接続情報及びセキュリティ情報を送信するようにし、一方、クライアント機器３０は、リモコン装置５０により認証ＩＤを付与されることに伴い、付与された認証ＩＤを認証ＩＤ記憶部３９に記憶し、該認証ＩＤと同じ認証ＩＤを有するサーバ機器を検索し、該当するサーバ機器から接続情報及びセキュリティ情報を受信し設定するようにしたので、グループ化されたサーバ機器及びクライアント機器は自動的に接続可能となる。これにより、ユーザは接続情報等の設定を行う必要はなくなるので、負担が大幅に軽減される。
【００４７】
以上、本発明者によってなされた発明を実施形態に基づいて具体的に説明したが、本発明は上記実施形態に限定されるものではなく、その要旨を逸脱しない範囲で変更可能である。
【００４８】
例えば、上記実施形態では、ＩＥＥＥ８０２．１１ｇで規定された２．４ＧＨｚ帯の無線ＬＡＮを利用してホームネットワークシステムを構築した例について説明したが、その他の無線伝送技術を利用したホームネットワークシステムにも適用することもできる。例えば、ＩＥＥＥ８０２．１１ａで規定された５．２ＧＨｚ帯の無線ＬＡＮやＩＥＥＥ８０２．１１ｂで規定された２．４ＧＨｚ帯の無線ＬＡＮ、光無線ＬＡＮ等がある。
【００４９】
また、上記実施形態において、サーバ機器２０とコンテンツ提供装置１０を一体的に構成してもよいし、クライアント機器３０と出力装置４０を一体的に構成してもよい。
【００５０】
また、上記実施形態では、サーバ機器２０に付属するリモコン装置５０により認証ＩＤを付与する構成としたが、サーバ機器２０やクライアント機器３０の制御操作とは関係のない認証ＩＤを付与するためだけのリモコン装置を独立して用意するようにしてもよい。
【００５１】
また、ＡＶ系のホームネットワークシステムに制限されず、白物家電（冷蔵庫や洗濯機、エアコン等）系やパソコン系のホームネットワークシステムにも適用することができる。
【００５２】
さらに、上記実施形態では、サーバ機器２０とクライアント機器３０とを１対１とした構成としたが、複数のクライアント機器をサーバ機器と接続してホームネットワークを構成することもできる。この場合、同じリモコン装置５０により、追加されたクライアント機器に対して認証ＩＤを付与するだけで、当該クライアント機器を容易にグループに追加することができる。
【図面の簡単な説明】
【００５３】
【図１】本実施形態のホームネットワークシステムの概略構成図である。
【図２】サーバ機器２０の概略構成図である。
【図３】クライアント機器３０の概略構成図である。
【図４】サーバ機器２０におけるネットワーク接続処理を示すフローチャートである。
【図５】クライアント機器３０におけるネットワーク接続処理を示すフローチャートである。
【符号の説明】
【００５４】
１０  コンテンツ提供装置
２０  サーバ機器
３０  クライアント機器
４０  出力装置
５０  リモコン装置
１００  ホームネットワークシステム
【図１】
2006268618.tif 000003
【図２】
2006268618.tif 000004
【図３】
2006268618.tif 000005
【図４】
2006268618.tif 000006
【図５】
2006268618.tif 000007